(57)【特許請求の範囲】
【請求項１】
プリント処理する画像データに対するプリント条件を決定するためのパラメータを複数有し、前記複数のパラメータをグループ化したパラメータ群を管理するパラメータ管理部を備えた写真プリント装置において、
前記複数のパラメータを表示するパラメータ表示部と、
前記表示された複数のパラメータからグループ化するパラメータを選択する選択手段と、
前記複数のパラメータから前記選択手段により選択されたパラメータを抽出するパラメータ抽出部と、
前記抽出されたパラメータをグループ化して抽出パラメータ群を構成し、当該パラメータ群に含まれるパラメータを包括する包括パラメータを作成する包括パラメータ作成部と、を備え、
前記選択手段により一のパラメータが選択された場合、
前記パラメータ抽出部は、当該選択されたパラメータと同一のグループに属する前記パラメータをグループ化できるパラメータとして抽出し、
前記グループ化できるパラメータとして抽出されたパラメータ以外のパラメータが選択されることを禁止する選択禁止手段を備えた写真プリント装置。
【請求項２】
前記選択禁止手段は、前記パラメータ表示部が前記グループ化できるパラメータとして抽出されたパラメータ以外のパラメータを表示しない又は選択不可能に表示することにより構成される請求項１に記載の写真プリント装置。
【請求項３】
前記包括パラメータを示すアイコンを作成する包括パラメータアイコン作成部を備えた請求項１または２に記載の写真プリント装置。
【請求項４】
前記パラメータ群に含まれるパラメータを表示する通常表示モードと前記包括パラメータを表示する簡易表示モードとが切換可能に構成されている請求項１から３のいずれか一項に記載の写真プリント装置。
【発明の詳細な説明】
【技術分野】
【０００１】
本発明は、プリント処理する画像データに対するプリント条件を決定するためのパラメータを複数有し、前記複数のパラメータをグループ化したパラメータ群を管理するパラメータ管理部を備えた写真プリント装置に関する。
【背景技術】
【０００２】
プリント処理する画像データに対するプリント条件を決定するためのパラメータを複数有する写真プリント装置において、これらのパラメータをグループ化したものとして、プリントチャンネル（パラメータ群）やプリントフォーム（パラメータ群）などを有するものがある。このプリントチャンネルの設定項目（パラメータ）とプリントフォームの設定項目（パラメータ）とは、ディスプレイの同一画面上に「同時プリントチャンネル／フォーム」の設定モードとして表示され、この画面上でプリントチャンネルとプリントフォームの各項目が設定できるようにされている（例えば、特許文献１）。
【０００３】
また、この写真プリント装置では、プリント条件を設定する際に、予め設定されている複数種類のチャンネルの中から所望のプリントチャンネルを選択するためのチャンネル選択表示部と、予め設定されている複数種類のフォームの中から所望のプリントフォームを選択するためのプリントフォーム選択表示部と、選択されたプリントチャンネルの内容を表示する選択チャンネル内容表示部と、選択されたプリントフォームの内容を表示する選択フォーム内容表示部とが表示される。
【０００４】
プリント処理を行うにあたっては、チャンネル選択表示部において、チャンネルの名称、使用するペーパーマガジンおよびネガマスクの種類名や印画紙の送り量などを１３５フィルムと２４０フィルムとに分けて夫々予め設定された複数種類のチャンネルの中から所望のチャンネルナンバーを選択することで、使用すべきプリントチャンネルが選択される。
【０００５】
また、予め設定されているプリントチャンネル（パラメータ群）を選択する際、上記特許文献１のようにリスト表示されたプリントチャンネル群から所望のプリントチャンネルを選択するのではなく、複数のパラメータを含むプリントチャンネルにリンクするスタートボタンをモニタに表示し、このスタートボタンの選択操作を通じて所定のプリント処理を開始するようなＧＵＩ（グラフィックユーザインターフェース）を採用した写真プリント装置も提案されている（例えば、特許文献２）。
【０００６】
【特許文献１】特開２００１−３０５６７０号公報（段落番号〔００１５〕〜〔００１７〕、図３）
【特許文献２】特開２００４−１７３０４６号公報（段落番号〔００２７〕、図９及び図１０）
【発明の開示】
【発明が解決しようとする課題】
【０００７】
しかしながら、上記特許文献１の写真プリント装置においては、選択チャンネル内容表示部により表示されるプリントチャンネル（パラメータ群）の設定項目（パラメータ）は複雑かつ詳細である。したがって、特に熟練度の低いオペレータなどの場合は、このような多様な設定項目の参照や入力操作に時間を要したり、あるいは、選択ミスが発生するなどの問題があった。
【０００８】
また、上記特許文献２の写真プリント装置においては、プリントチャンネル（パラメータ群）に含まれるパラメータが予め設定されており、このようにパラメータ群に含まれるパラメータが固定された写真プリント装置では、パラメータ群の構成について融通性がなく、熟練度の高いオペレータが使用目的に適した使用環境の設定を行うことができないという問題も生ずる。
【０００９】
本発明は、かかる問題点に着目してなされたものであり、その目的は、幅広いオペレータに対して操作性に優れた写真プリント装置を提供することにある。
【課題を解決するための手段】
【００１０】
上記目的を達成するための本発明に係る写真プリント装置の第一特徴構成は、プリント処理する画像データに対するプリント条件を決定するためのパラメータを複数有し、前記複数のパラメータをグループ化したパラメータ群を管理するパラメータ管理部を備えた写真プリント装置において、前記複数のパラメータを表示するパラメータ表示部と、前記表示された複数のパラメータからグループ化するパラメータを選択する選択手段と、前記複数のパラメータから前記選択手段により選択されたパラメータを抽出するパラメータ抽出部と、前記抽出されたパラメータをグループ化して抽出パラメータ群を構成し、当該パラメータ群に含まれるパラメータを包括する包括パラメータを作成する包括パラメータ作成部と、を備え、前記選択手段により一のパラメータが選択された場合、前記パラメータ抽出部は、当該選択されたパラメータと同一のグループに属する前記パラメータをグループ化できるパラメータとして抽出し、前記グループ化できるパラメータとして抽出されたパラメータ以外のパラメータが選択されることを禁止する選択禁止手段を備えた点にある。
【００１１】
本構成のごとく、写真プリント装置が有しているパラメータから、オペレータの熟練度や使用目的などに応じてパラメータを抽出し、これをグループ化して抽出パラメータ群を構成し、この抽出パラメータ群に含まれるパラメータを包括する新たなパラメータ（包括パラメータ）を作成することにより、オペレータに適した使用環境を設定することができる。特に、包括パラメータを作成することで、使用するパラメータの数を減少させることができるので、熟練度の低いオペレータにとって操作し易いものとなる。また、抽出するパラメータの組み合わせに応じて、多くの包括パラメータを作成することができ、オペレータの熟練度や使用目的などの多様なケースに対応する包括パラメータを作成することができる。これにより、幅広いオペレータにとって、操作し易い写真プリント装置を構成することができる。また、グループ化できないパラメータが選択されることを禁止する選択禁止手段を備えることで、熟練度の低いオペレータが関連しない（グループ化できない）パラメータを知らずに選択するなどのオペレータによる選択ミスを回避することができる。
【００１６】
本発明に係る写真プリント装置の第二特徴構成は、前記選択禁止手段は、前記パラメータ表示部が前記グループ化できるパラメータとして抽出されたパラメータ以外のパラメータを表示しない又は選択不可能に表示することにより構成される点にある。
【００１７】
写真プリント装置がパラメータを多く有している場合、これらのパラメータから所定のパラメータを効率よく抽出できるようにすると好適である。このため、本構成のごとく、オペレータが一のパラメータを選択した場合、これとグループ化できるパラメータを抽出して、これらのパラメータ以外のパラメータについては非表示としたり、選択不可能に表示することにより、オペレータは所望するパラメータの選択が行い易くなり、パラメータを効率的に抽出することが可能となる。
【００１８】
本発明に係る写真プリント装置の第三特徴構成は、前記包括パラメータを示すアイコンを作成する包括パラメータアイコン作成部を備えた点にある。
【００１９】
本構成のごとく、包括パラメータをアイコン表示できるようにすることで、作成した包括パラメータを視覚的に理解し易くなり、特に熟練度の低いオペレータにとっても扱い易いものとなる。なお、ここでは、包括パラメータの各値（包括パラメータ値）が離散値の場合などにおいて、各包括パラメータ値をアイコン表示する場合も含まれる。
【００２０】
本発明に係る写真プリント装置の第四特徴構成は、前記パラメータ群に含まれるパラメータを表示する通常表示モードと前記包括パラメータを表示する簡易表示モードとが切換可能に構成されている点にある。
【００２１】
本構成のごとく、通常表示モードと簡易表示モードとを備えることで、熟練度の高いオペレータと熟練度の低いオペレータとが利用できる写真プリント装置を１台で提供することができる。
【発明を実施するための最良の形態】
【００２２】
以下、本発明の実施形態を図面に基づいて説明する。
〔写真プリント装置〕
図１及び図２に、本発明に係る写真プリント装置の全体構成を示す。この写真プリント装置は、デジタルミニラボとも称せられ、暗箱構造の筐体１０の外部にオペレート部Ａを備えるとともに、筐体１０の内部に印画紙Ｐ（感光材料の一例）に対して画像データの露光を行う露光処理部Ｅｘと、この露光処理部Ｅｘからの印画紙Ｐを反転することで表裏を入れ換えて上方に搬送する縦搬送部ＣＶと、この縦搬送部ＣＶからの印画紙Ｐの現像処理を行う現像処理部Ｄｅと、この現像処理部Ｄｅからの印画紙Ｐの乾燥を行う乾燥処理部Ｄｒとを備え、この乾燥処理部Ｄｒで乾燥された印画紙Ｐを筐体１０の端部の排出部１１から排出し、搬送ベルト１２で受け止めて水平方向に搬送し、複数のトレイ１３Ａのいずれかにオーダ単位で回収するソータ１３を備えている。
【００２３】
〔オペレート部〕
オペレート部Ａは、オペレータが画像データの取得と、プリント処理に必要な操作とを行う操作端末として機能する。このオペレート部Ａは、テーブル部２０に設置された汎用コンピュータで成るオペレート部コントローラ２１と、このオペレート部コントローラ２１の上面に設置されたディスプレイ２２と、現像済みの写真フィルムＦのコマ画像から画像データを取得するフィルムスキャナ２３と、２つのキーボード２４とマウス２５とを備えている。オペレート部コントローラ２１の前面には、各種の半導体型の記憶媒体と、ＣＤ−ＲＯＭ、ＤＶＤ、ＭＯ等の光学式や磁気式の記憶媒体との間で情報のアクセスを行う複数のメディアドライブ２６を備えている。
【００２４】
なお、フィルムスキャナ２３は、下部に配置した光源２３Ａからの光線をフィルムキャリア２３Ｂに支持された写真フィルムＦに照射し、この写真フィルムＦからの光線をレンズユニット２３Ｃから上部の光電変換ユニット２３Ｄに導き、この光電変換ユニット２３Ｄにおいて写真フィルムＦのコマ画像の光電変換とＡ／Ｄ変換とを行うことにより、Ｒ（赤）・Ｇ（緑）・Ｂ（青）の３原色に色分解したデジタル型の画像データを取得する。
【００２５】
〔露光処理部・縦搬送部・現像処理部・乾燥処理部〕
露光処理部Ｅｘは、２つの印画紙マガジンＭにロール状に収容された長尺の印画紙Ｐのいずれか一方を圧着型の供給搬送ローラ４１で上方に引き上げた後に水平方向に送り出し、カッターユニット４２の排出ローラ４３からチャッカーＣに受け渡す。このチャッカーＣは、印画紙Ｐを挟持する挟持状態と開放する開放状態とに切り換え自在なチャック部材（図示せず）を備えており、このチャック部材で印画紙Ｐの先端近くを挟持し、水平方向への搬送を開始する。この水平方向への搬送時にはチャッカーＣの移動速度と同期した速度で供給搬送ローラ４１と排出ローラ４３とを駆動する。そして、カッターユニット４２の切断位置を基準にして搬送された印画紙Ｐの長さが所定のプリントサイズに達すると、印画紙Ｐの搬送を一時停止しカッターユニット４２によって印画紙Ｐを切断する。この切断の後に、チャッカーＣを水平方向に更に移動させ、印画紙Ｐを露光ユニットＧの露光搬送機構Ｇｃに受け渡す。
【００２６】
なお、２つの印画紙マガジンＭには、夫々ＩＤプレート１９が備えられている。このＩＤプレート１９にはマガジンに収容された印画紙の幅や全長、面質（光沢や半光沢などの印画紙の表面の質）などの情報が記録されている。これらのＩＤプレート１９に対してマガジンセンサＭＳが夫々近接して配置されており、このマガジンセンサＭＳから各ＩＤプレート１９に記録された印画紙の情報を取得することができる。
【００２７】
露光ユニットＧは、圧着状態と開放状態とに切り換え自在な３つのローラを有する露光搬送機構Ｇｃによって、受け取った印画紙Ｐを水平方向（副走査方向）に搬送しながら、露光ヘッドＧｈによって主走査方向に沿ったライン露光を行うように露光形態が設定されている。露光ヘッドＧｈとしては、Ｒ（赤）、Ｇ（緑）、Ｂ（青）の３原色に対応した３種の真空ケースの内部に多数のドット状となる蛍光体をライン状に配置し、これらの蛍光体を独立して発光させるように構成したものを用いている。これに代えて、光源からの光線の照射を画素単位で制御する液晶型等のシャッターから印画紙Ｐの感光面に導くことでライン露光を行うものや、Ｒ（赤）、Ｇ（緑）、Ｂ（青）の３原色のレーザビームを走査する形態でライン露光を行うものを用いても良い。
【００２８】
なお、露光処理部Ｅｘには、この露光処理部Ｅｘでの印画紙Ｐの切断・露光・搬送を制御するとともに、後述する縦搬送部ＣＶでの印画紙Ｐの搬送と、現像処理部Ｄｅでの印画紙Ｐの搬送と現像処理液の管理と、乾燥処理部Ｄｒでの印画紙Ｐの搬送と温度管理とを制御するマイクロプロセッサを有した処理部コントローラ３６が備えられている。
【００２９】
縦搬送部ＣＶは、露光処理部Ｅｘで露光された印画紙Ｐを圧着型のローラ１５で受け取り、この圧着型のローラ１５の姿勢の変換によって表裏を入れ換え、ガイドレール１６に沿って上方に搬送し、現像処理部Ｄｅに送り出すように機能する。
【００３０】
現像処理部Ｄｅは、発色現像槽と漂白定着槽と安定槽とで成る複数の処理槽を樹脂によって一体形成した現像処理槽３０を備えるとともに、露光処理部Ｅｘから供給された印画紙Ｐを、現像処理液を収容した夫々の現像処理槽に搬送するために複数の圧着型のローラを有した現像搬送機構３１を備えている。
【００３１】
乾燥処理部Ｄｒは、現像処理部Ｄｅから送り出された印画紙Ｐを搬送する複数の圧着型のローラ３２と、この圧着型のローラ３２で搬送される印画紙Ｐに対して乾燥空気を供給するブロワ３３とを備えている。
【００３２】
〔制御構造〕
図３に示すように、この写真プリント装置の制御系が構成されている。オペレート部コントローラ２１は、マイクロプロセッサＣＰＵと、このマイクロプロセッサＣＰＵのデータバスに接続する入出力インタフェース（Ｉ／Ｏ）７０とを備え、この入出力インタフェース７０に対して、ディスプレイ２２と、フィルムスキャナ２３と、このフィルムスキャナ２３にセットされたフィルムキャリア２３Ｂを判別するフィルムキャリアセンサ２３Ｓと、キーボード２４と、マウス２５と、メディアドライブ２６と、ハードディスクＨＤとの間で情報がアクセスする信号系を形成し、また、入出力インタフェース７０と処理部コントローラ３６との間で信号をアクセスする通信系を形成している。
【００３３】
マイクロプロセッサＣＰＵのデータバスに対して、ＲＡＭやＲＯＭで成る半導体メモリ７１と、ＧＵＩ制御部７２と、画像データ取得部７３と、画像処理部７４と、プリント実行部７５と、プリント条件設定部７６と、パラメータ管理部７７とが接続している。さらに、ＧＵＩ制御部７２はパラメータ表示部７２Ａを、画像処理部７４は包括パラメータアイコン作成部７４Ａを、プリント条件設定部７６はプリントチャンネル設定部７６Ａとプリント詳細設定部７６Ｂを、パラメータ管理部７７はパラメータ抽出部７７Ａと包括パラメータ作成部７７Ｂを有している。
【００３４】
ＧＵＩ制御部７２は、ディスプレイ２２にプリントチャンネルの設定項目表示画面５０などの各種情報を表示する処理とともに、その画面上においてマウス２５の操作やキーボード２４の操作に基づいて、ディスプレイ２２に表示された画面を介して情報を取得する処理を実行する。パラメータ表示部７２Ａは、ディスプレイ２２の画面上に写真プリント装置が有する複数のパラメータを表示する処理を実行する。
【００３５】
画像データ取得部７３は、フィルムスキャナ２３やメディアドライブ２６などから画像データを取得する処理を実行する。画像処理部７４は、取得した画像データの補正や合成などの画像処理を実行する。包括パラメータアイコン作成部７４Ａは、後述する包括パラメータを示すアイコンを作成する処理を行う。この場合、包括パラメータを示すアイコンを一から作成するだけでなく、既に有しているアイコンに対応付けることにより作成してもよい。プリント実行部７５は、画像データやオーダ情報を処理部コントローラ３６に伝送することによりプリント処理を実行する。
【００３６】
プリント条件設定部７６は、プリント処理のための各種条件を設定する処理を行う。このうち、プリントチャンネル設定部７６Ａは、プリント処理する画像データに対してプリントチャンネルを設定する処理を、プリント詳細設定部７６Ｂはプレジャッジ画面において画像補正やプリント枚数などの各種項目について設定をする処理を実行する。
【００３７】
パラメータ管理部７７は、写真プリント装置が有する複数のパラメータと、これをグループ化したパラメータ群とを管理する処理を行う。図４には、このようなパラメータ管理部７７の管理構造の説明図が示されている。各パラメータは複数個集まってパラメータ群を構成しており、例えばパラメータＡ１、Ａ２、Ａ３などがグループ化してパラメータ群Ａを、パラメータＢ１、Ａ２、Ｂ３などがグループ化してパラメータ群Ｂなどを構成している。なお、同一のパラメータが複数のパラメータ群に含まれることも許容されている（例えば図４のパラメータＡ２）。パラメータ管理部７７は、このような階層構造でパラメータとパラメータ群とを管理している。
【００３８】
また、パラメータ抽出部７７Ａは、所定のパラメータを抽出する処理を実行する。包括パラメータ作成部７７Ｂは、パラメータ抽出部７７Ａにより抽出されたパラメータをグループ化して抽出パラメータ群を構成し、このパラメータ群に含まれるパラメータを包括する包括パラメータを作成する処理を実行する。このように抽出された抽出パラメータ及び構成された抽出パラメータ群もまたパラメータ管理部７７において管理され、例えば図４には、パラメータ抽出部７７Ａにより抽出されたパラメータＡ１、Ａ３、Ａ４などをグループ化した抽出パラメータ群（包括パラメータ）α、抽出されたパラメータＡ２、Ｂ３、Ｂ６などをグループ化した抽出パラメータ群（包括パラメータ）βなどの抽出パラメータ及び抽出パラメータ群（包括パラメータ）が示されている。
【００３９】
なお、ＧＵＩ制御部７２と、画像データ取得部７３と、画像処理部７４と、プリント実行部７５と、プリント条件設定部７６と、パラメータ管理部７７とはソフトウエアで構成されるものであるが、これらをハードウエアで構成することや、ハードウエアとの組み合わせで構成しても良い。
【００４０】
処理部コントローラ３６は、露光処理部Ｅｘの供給搬送ローラ４１から乾燥処理部Ｄｒの圧着ローラ３２に亘る搬送系全般と露光処理部Ｅｘでの印画紙Ｐの切断とを管理する切断・搬送制御部３６Ａと、露光ヘッドＧｈを制御して印画紙Ｐに対する画像データの露光を管理する露光制御部３６Ｂと、現像処理槽３０の現像処理液の温度管理や液面管理を行い、乾燥処理部Ｄｒの温度管理を行う現像・乾燥制御部３６Ｃとを備えている。また、この処理部コントローラ３６は、２つの印画紙マガジンＭに備えられたＩＤプレート１９の情報を検出するマガジンセンサＭＳからの信号が入力されるように構成されている。
【００４１】
〔プリント処理形態〕
本実施形態における写真プリント装置のプリント処理形態について説明する。この写真プリント装置では、通常の同時プリント以外に、特殊なプリントサイズでの同時プリント、文字メッセージや他の画像との画像合成プリント、複数のコマ画像をレイアウトしたアルバム風プリントなど種々のプリント処理が可能に構成してある。このため、各プリント処理を実行制御するために要求される複数のパラメータがグループ化されたプリントチャンネル（パラメータ群）を有している。具体的には、プリントチャンネルはプリント処理に使用する印画紙Ｐの幅の寸法、印画紙Ｐの送り長さ（カッターユニット４２で切断するまでの印画紙Ｐの送り量：これによりプリントサイズの縦横比が決まる）、印画紙Ｐの面質（光沢や半光沢などの印画紙の表面の質）、プリント方式（自動プリントやプレジャッジプリントなど）、入力メディアの種類などのパラメータで構成されている。
【００４２】
このプリントチャンネルと後述するプレジャッジ画面での画像補正やプリント枚数などのプリント詳細設定項目とを決定することでプリント条件が設定され、この設定されたプリント条件に基づき、フィルムスキャナ２３で写真フィルムＦから、あるいは、メディアドライブ２６で半導体型の記憶媒体などから画像データが取得され、このように取得した画像データに基づいて、露光処理部Ｅｘにおいて印画紙Ｐにプリント画像データを露光し、現像処理部Ｄｅで現像処理を行い、この現像処理後の印画紙Ｐを乾燥処理部Ｄｒで乾燥した後に排出を行うプリント処理が開始される。
【００４３】
次に上述したプリント条件の設定について、プリントチャンネルの設定とプレジャッジ画面における画像補正を例に説明する。
【００４４】
〔プリントチャンネルの設定〕
図５には、プリントチャンネルの設定項目表示画面５０が示されている。この表示画面においては、入力メディア５１やプリント方式５２、プリント枚数５３、プリントサイズ５４、インデックスプリント５５、メディア出力５６などの多くの設定項目（パラメータ）が表示されており、オペレータはこれらの設定項目（パラメータ）を参照し、必要な場合は適切な入力値（パラメータ値）を入力してプリントチャンネルを決定する。すなわち、この表示画面は熟練度の高いオペレータに適したものとなっており、熟練度の低いオペレータにとっては複雑で操作し難いものとなっている。
【００４５】
このため、熟練度の低いオペレータには、これらのプリントチャンネルの設定項目の内容がわかり易く、そのプリントチャンネルの選択が容易に行えるような表示画面があると好適である。そこで、図６に、プリントチャンネル（パラメータ群）の複数の設定項目（パラメータ）から、入力メディア、プリントサイズ、プリント枚数、プリント方式の４つのパラメータを抽出し、これらの各パラメータについてグループ化したパラメータ群に対して、各パラメータを包括したパラメータであるプリントチャンネル表示パラメータ（包括パラメータ）を作成するためのプリントアイコン作成画面（包括パラメータ作成画面）６０を示す。
【００４６】
まず、図６のプリントアイコン作成画面６０における各設定項目（パラメータ）の抽出について具体的に説明する。パラメータの抽出のためには、まず、所定の操作により図７Ａに示すパラメータ一覧表示画面ＰＴを表示し、このパラメータ一覧表示画面ＰＴに表示された各パラメータのチェックボックスにチェックを入れることにより、オペレータは所望のパラメータを選択する。
【００４７】
この写真プリント装置は多数のパラメータを有しており、選択を容易に行うため次のような手段が備えられている。すなわち、オペレータが所望する一のパラメータを選択すると、このパラメータと関連する（グループ化できる）パラメータが選択可能な状態で表示されたまま残るのに対して、このパラメータと関連しない（グループ化できない）パラメータについては、チェックボックスにチェックできないようグレーアウト（選択不可能に表示）される。例えば、図７Ｂに示すように、パラメータとして入力メディアを選択すると、これとグループ化できないコントラストや彩度、シャープネスといったパラメータがグレーアウトされ、オペレータは選択可能な残りのパラメータから選択できるようになる。これにより、オペレータは効率的にパラメータの選択を行うことができる。ここで、グループ化できる、又は、グループ化できないという判断としては、グループ化できるパラメータについて予め設定しておく他に、例えば、そのパラメータが含まれる予め設定されたパラメータ群が同じか否かで行ってもよい。
【００４８】
なお、上述のようなグループ化できないパラメータを選択不可能にする選択禁止手段として、この他に、グループ化できないパラメータを非表示とすることや、グループ化できないパラメータを組み合わせて選択した場合には、エラーメッセージを表示させることなどの手段を用いてもよい。
【００４９】
このようにして選択されたパラメータは、パラメータ抽出部７７Ａにより抽出され、さらに、各パラメータについてグループ化されて抽出パラメータ群を構成し、各パラメータを包括する包括パラメータが包括パラメータ作成部７７Ｂにおいて作成される。本実施形態においては、図７Ｂの画面から、パラメータとしてさらにプリントサイズ、プリント方式、プリント枚数を選択することにより、これらのパラメータを包括したプリントチャンネル表示パラメータ（包括パラメータ）が作成される。
【００５０】
このように、図６のプリントアイコン作成画面６０には、設定項目（パラメータ）として、抽出されたパラメータである入力メディア６１、プリント方式６２、プリント枚数６３、プリントサイズ６４が夫々表示される。オペレータは、これらの各設定項目（パラメータ）に対して値（パラメータ値）を入力していくことで、これらのパラメータ値に対応したプリントチャンネル表示パラメータ（包括パラメータ）の各値（包括パラメータ値）を設定することができる。そして、このプリントチャンネル表示パラメータの各値夫々に対応して、包括パラメータアイコン作成部７４Ａにおいてプリントアイコンが作成され、当該プリントアイコンがプリントアイコン作成表示部６５に表示される。すなわち、プリントサイズ、入力メディア、プリント枚数、プリント方式の各パラメータの異なる値に対して、一のプリントアイコンが作成されるのである。
【００５１】
このようにして作成された各プリントアイコン（プリントチャンネル表示パラメータの各値に対応するアイコン）を図８に示す。これらのプリントアイコン６７Ａはオーダ画面（プリント処理選択画面）６６のプリント選択部６７に表示され、対応するプリントチャンネルに夫々関連付けられている。したがって、オペレータはこれらのプリントアイコン６７Ａのうちの一つを選択するだけでプリントチャンネルを設定することができ、このようにアイコンで視覚的に表示されているので、熟練度の低いオペレータにとっても操作し易いものとなっている。なお、プリント選択決定ボタン６８を操作することで、選択されたプリントアイコン６７Ａに対応するプリントチャンネルがプリントチャンネル設定部７６Ａにおいて設定される。さらに、プリント方式としてプレジャッジ方式が選択されている場合、図９に示すプレジャッジ画面に移行し、このプレジャッジ画面において各画像に対してマニュアルで画像補正をすることができる。
【００５２】
上述したように、図５の表示画面は熟練度の高いオペレータ（上級者）用であり、図８の表示画面は熟練度の低いオペレータ（初級者）用の表示画面である。そして、図５において簡易表示ボタン５７を操作することにより図８の画面に、図８において通常表示ボタン６９を操作することにより図５の画面に切り換えることができる。このように、上級者用と初級者用の２つの表示画面を備え、互いに切換可能に構成してあるので、幅広いオペレータに対してこの１台の写真プリント装置で対応することができる。
【００５３】
〔画像補正の設定〕
次にプレジャッジ画面における画像補正の例について説明する。上述したようにプリント方式としてプレジャッジ方式が選択されたプリントチャンネルが設定されると、図９に示すプレジャッジ画面に移行してマニュアル補正が可能になる。具体的には図９に示すように、プレジャッジ画面８０には、そのオーダにおける各画像が画像表示欄８１に順次表示される。この画像表示欄８１には前設定された表示コマ数だけ画像が表示され、例として図９では６コマの画像が表示されている。画像表示欄８１の各コマ画像８１Ａの下側には、各画像のプリント枚数を入力するためのプリント枚数入力エリア８２が配置されている。
【００５４】
各画像の画像補正を行うためには、各コマ画像をクリックして画像補正選択画面（図示せず）を表示して、この選択画面から所望のタイプの画像補正を選択し、選択したタイプの画像補正について補正値などを入力するための画像補正設定画面を表示する。図１０には、このように選択され表示された画像補正設定画面の一例が示されている。図１０の画像補正設定画面９０はアナログペーパー調に画像補正する際の設定画面であり、その補正項目として、コントラスト９１、シャープネス９２、彩度９３、粒状抑制９４が示されている。これらの各補正項目は、図７のパラメータ一覧表示画面ＰＴから抽出されたものであり、したがって抽出パラメータに相当するものである。なお、これらの補正項目（パラメータ）の選択・抽出については、上述したプリントアイコン作成の場合と同様である。図１０の画像補正設定画面９０に基づいて補正を行うためには、オペレータは各補正項目（パラメータ）に対して、右欄の入力エリアに値（パラメータ値）を入力していけばよい。
【００５５】
この図１０の画像補正の例では、予め設定されているパラメータ群についてではなく、抽出した複数のパラメータ（抽出パラメータ群）を表示するものである。しかしながら、このような抽出パラメータ群においても、そのパラメータへの入力操作は、熟練度の低いオペレータにとっては複雑で分かり難い。そこで、これらのパラメータを包括するパラメータをアナログペーパー調として、その包括パラメータ値が１から１０までの１０個の整数値を有するものとして作成すると好適である。すなわち、アナログペーパー調１から１０までの夫々の値に対応するコントラスト、シャープネス、彩度、粒状抑制の値を設定して、アナログペーパー調の１０段階の補正値を設定する。
【００５６】
これにより、その補正値が１から１０までの「アナログペーパー調」という新たな補正項目を作成することができる。そして、補正項目としてアナログペーパー調を選択して、図１１に示す画像補正設定画面９７を表示し、この設定画面の入力エリア９８に入力値として１から１０のいずれかの値を入力するだけで、所望の画像補正を行うことができる。すなわち、値を入力するパラメータが一つで済み、熟練度の低いオペレータにとっても操作し易いものとなっている。なお、これらの画像補正設定画面についても、上級者用と初級者用とを切り換え可能に表示させることができる。
【００５７】
上述した実施形態では、プリントチャンネルのアイコンとアナログペーパー調の画像補正を例に説明したが、もちろんこれに限られるものではなく、その他のタイプの画像補正など、複数のパラメータの入力が必要な項目について適用することができる。
【００５８】
さらに上述した実施形態では、一の抽出パラメータ群に対して一の包括パラメータを作成するように構成したが、もちろん複数の包括パラメータを作成するように構成することもできる。
【図面の簡単な説明】
【００５９】
【図１】本発明に係る写真プリント装置を示す外観図
【図２】図１の写真プリント装置の概略説明図
【図３】制御構造を示すブロック図
【図４】パラメータの管理構造を示す説明図
【図５】プリントチャンネルの設定項目表示画面を示す図
【図６】パラメータ一覧の表示画面を示す図
【図７】プリントアイコン作成画面を示す図
【図８】プリント処理選択画面を示す図
【図９】プレジャッジ画面を示す図
【図１０】画像補正設定画面（上級者用）の一例を示す図
【図１１】画像補正設定画面（初級者用）の一例を示す図
【符号の説明】
【００６０】
７２Ａ  パラメータ表示部
７７  パラメータ管理部
７７Ａ  パラメータ抽出部
７７Ｂ  包括パラメータ作成部
【図１】
0004662154.tif 000002
【図２】
0004662154.tif 000003
【図３】
0004662154.tif 000004
【図４】
0004662154.tif 000005
【図５】
0004662154.tif 000006
【図６】
0004662154.tif 000007
【図７】
0004662154.tif 000008
【図８】
0004662154.tif 000009
【図９】
0004662154.tif 000010
【図１０】
0004662154.tif 000011
【図１１】
0004662154.tif 000012